【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】
電子装置において、
キーを操作することによってある言語で文字及び／または数字を入力するための所定数の前記キーを有する伸長可能なキーパッドを具備してなり、
前記キーパッドは、前記装置に組み込まれ、前記キーの少なくとも二つが互いに近接する収縮位置と、前記キーの少なくとも二つが互いに離れる伸展位置との間で移動するように構成されており、前記伸展位置にあるときには、前記キーパッド及び前記キーの少なくとも一部が前記電子装置の本体から外側に伸長し、
前記言語の実質的にすべてのアルファベット及び／または数字を前記伸展したキーパッドに割り当てることができるような方法で、前記言語の各種アルファベット数字群が、収縮位置で近接し、伸展位置で離れる前記キーの少なくともいくつかに対して割り当てられ、ユーザが、前記言語で前記文字及び／または前記数字を入力するために、通常、収縮位置で近接し、伸展位置で離れる前記キーの少なくともいくつかを操作することを特徴とする電子装置。
【請求項２】
前記伸長したキーパッドのサイズが、前記文字及び／または前記数字を入力するための前記所定数のキーの数量と、前記キーのサイズ及び／または前記キーの間の空隙を最大化し、かつ前記ユーザが押すことを意図していないキーを指で誤って押す可能性を最大限度抑えられるようするのに必要な前記キー間の距離との関数になっていることを特徴とする請求項１記載の装置。
【請求項３】
前記拡大されたキーパッドのキーの一部が前記装置の表面に位置し、さらに前記文字及び／または前記数字を入力するために、ユーザが通常、前記装置の本体から外側に伸長する前記キーパッドの前記表面及びもう一つの表面のキーを使用することを特徴とする請求項１記載の装置。
【請求項４】
前記離れるキーの少なくともいくつかが、ある言語で文字を入力するための前記言語の少なくとも実質的にすべてのアルファベットまたは数字を有することを特徴とする請求項１記載の装置。
【請求項５】
前記キーパッドが多区画に分画されたキーパッドであり、さらに前記所定数のキーがその区画の少なくとも二つの上に配置され、
前記区画の少なくとも一つがキーを有し、前記少なくとも一つの区画は、キーを有する少なくとも他のもう一つの前記区画と相対的に収縮位置から伸長位置に移動し、拡張されたキーパッドを共に備えるように構成され、さらに前記拡張されたキーパッドの少なくとも一部が前記電子装置の本体から外側に伸長し、
ある言語の前記実質的にすべてのアルファベットまたは数字が前記拡張されたキーパッドに割り当てられるような方法で、前記言語の各種アルファベット数字群が前記区画各々のキーの少なくともいくつかに対して割り当てられ、それにより、前記言語で前記文字及び／または前記数字を入力するために、ユーザが通常、前記拡張されたキーパッドの少なくとも二つの区画のキーを使用することを特徴とする請求項１記載の装置。
【請求項６】
少なくとも二つの区画が互いに連結されて、表面が一体化されているキーパッドを形成することを特徴とする請求項５記載の装置。
【請求項７】
伸展位置にあるとき、前記キーパッドが少なくとも２６個のキーを有することを特徴とする請求項１又は５記載の装置。
【請求項８】
前記キーパッドの三つのキー列が少なくとも２６個のキーを有することを特徴とする請求項７記載の装置。
【請求項９】
伸展位置にあるとき、前記キーパッドが少なくとも３６個のキーを有することを特徴とする請求項１又は５記載の装置。
【請求項１０】
前記キーパッドの四つのキー列が少なくとも３６個のキーを有することを特徴とする請求項９記載の装置。
【請求項１１】
前記キーの少なくとも一部が前記電子装置の本体から外側に伸長することを特徴とする請求項７〜１０のいずれか一に記載の装置。
【請求項１２】
伸展位置にあるとき、前記キーパッドが実質的に前記電子装置の表面の寸法が長い方向に伸長することを特徴とする、先行する請求項のいずれか一に記載の装置。
【請求項１３】
前記キーパッドのキー列が前記寸法が長い方向に形成されることを特徴とする請求項１２記載の装置。
【請求項１４】
前記キーパッドの一区画のキーが、前記区画の表面を占有するように配置され、前記表面が実質的により長い寸法を有することを特徴とする請求項１２記載の装置。
【請求項１５】
前記キーパッドの少なくとも一つのキーが前記電子装置の外面内に配置されることを特徴とする請求項１又は５記載の装置。
【請求項１６】
前記少なくとも一つのキーが前記文字及び／または前記数字の少なくとも一部を入力するために使用されることを特徴とする請求項１５記載の装置。
【請求項１７】
前記装置が、前記キーパッドに対応するディスプレイユニットを有し、前記ディスプレイユニットの少なくとも一部が前記装置の外面に配置されていることを特徴とする、請求項１又は５記載の装置。
【請求項１８】
前記キーパッドが、手首着用型電子装置のリストバンド内に組み込まれ、かつ前記手首着用型電子装置から離れて配置されていることを特徴とする請求項１又は５記載の装置。
【請求項１９】
収縮位置における前記キーパッドの幅が、少なくとも前記リストバンド及び前記電子装置から形成されるブレスレットの幅に一致することを特徴とする請求項１８記載の装置。
【請求項２０】
収縮位置にあるとき、前記キーパッドが前記電子装置の本体内に実質的に収納されることを特徴とする請求項１又は５記載の装置。
【請求項２１】
前記キーパッドの伸長及び収縮が、前記装置のキーパッド部分と実質的に係合することを特徴とする請求項１又は５記載の装置。
【請求項２２】
近接した位置にあるとき、第１の区画のキーが第２の区画のキーと接触しないように、前記第１の区画のキーが前記第２の区画のキーの間に配置され、前記キーパッドの厚さが最小になるように、前記キーパッドの少なくとも二つの区画が互いに向かい合うように折りたたまれることを特徴とする請求項１又は５記載の装置。
【請求項２３】
前記多区画に分画されたキーパッドが二つの区画を有することを特徴とする請求項５記載の装置。
【請求項２４】
前記区画の少なくとも一つが、少なくとも他のもう一方の区画と相対的に旋回的に伸長することを特徴とする請求項５記載の装置。
【請求項２５】
前記区画の少なくとも一つが、少なくとも他のもう一方の区画と相対的に滑動しながら伸長することを特徴とする請求項５記載の装置。
【請求項２６】
前記キーパッドの前記区画の少なくとも一つが、他のもう一方の区画と相対的に回転軸の周りを同一平面上で旋回しながら伸長することを特徴とする請求項５記載の装置。
【請求項２７】
前記多区画に分画されたキーパッドユニットの前記所定数のキーの少なくとも１２個のキーが、前記拡大された表面の少なくとも二つの区画上に、電話型キーパッドのキー構成を再現したキーの配列を実現できるように配置されていることを特徴とする請求項５記載の装置。
【請求項２８】
前記多区画に分画されたキーパッドが二つの区画を有し、前記二つの区画の一つは前記キー列の二つを包含し、他方の区画は第３のキー列を包含することを特徴とする請求項１記載の装置。
【請求項２９】
前記多区画に分画されたキーパッドが三つの区画を有し、前記区画の各々は前記キー列の一つを包含することを特徴とする請求項１記載の装置。
【請求項３０】
前記電子装置が通信装置であることを特徴とする先行する請求項のいずれか一に記載の装置。
【請求項３１】
前記電子装置が手首着用型通信装置であることを特徴とする請求項３０記載の装置。
【請求項３２】
前記装置がさらに時計ユニットを有することを特徴とする請求項３１記載の装置。
【請求項３３】
前記キーパッド及び前記時計ユニットが着用者の手首上で相互に相対する位置関係に配置されることを特徴とする請求項３２記載の装置。
【請求項３４】
前記装置がさらにディスプレイユニット及び時計ユニットを有することを特徴とする請求項３２記載の装置。
【請求項３５】
前記ディスプレイユニット及び前記時計ユニットが着用者の手首上で相互に相対する位置関係に配置されることを特徴とする請求項３４記載の装置。
【請求項３６】
前記時計ユニットが前記装置から独立して機能することを特徴とする請求項３２記載の装置。
【請求項３７】
装置内に収納された状態の伸長可能なキーパッドにおいて、
前記キーパッドは、キーを操作することによって、ある言語で文字及び／または数字を入力するための所定数の前記キーを有し、前記キーパッドは、前記キーの少なくとも二つが互いに近接する収縮位置と、前記キーの少なくとも二つが互いに離れる伸展位置との間で移動するように構成され、
前記伸展位置にあるとき、前記キーパッド及び／または前記キーの少なくとも一部が前記電子装置の本体から外側に伸長し、
前記言語の実質的にすべてのアルファベット及び／または数字が前記伸展したキーパッドに割り当てられるような方法で、前記言語の各種アルファベット数字群が収縮位置で近接し、伸展位置で離れる前記キーの少なくともいくつかに対して割り当てられ、
前記言語で前記文字及び／または前記数字を入力するために、ユーザが通常、収縮位置で近接し、伸展位置で離れる前記キーの少なくともいくつかを操作し、さらに、
収縮位置で、前記キーパッドが前記装置の本体内に実質的に収納されることを特徴とする伸長可能なキーパッド。
【請求項３８】
前記キーパッドが多区画に分画されたキーパッドであり、さらに前記所定数のキーがその区画の少なくとも二つの上に配置され、
それにより、キーを有する前記区画の少なくとも一つが、少なくともキーを有する他のもう一方の前記区画と相対的に収縮位置から伸展位置に移動し、拡張されるキーパッドを共に実現できるように、前記拡張されたキーパッドの少なくとも一部が前記電子装置の本体から外側に伸長し、
ある言語の実質的にすべてのアルファベットまたは数字が前記拡張されたキーパッドに割り当てられるような方法で、前記言語の各種アルファベット数字群が前記区画各々のキーの少なくともいくつかに対して割り当てられ、それにより、前記言語で前記文字及び／または前記数字を入力するために、ユーザが通常、前記拡張されたキーパッドの少なくとも二つの区画のキーを使用することを特徴とする請求項３７記載の装置。
【請求項３９】
前記装置がリストバンドであることを特徴とする請求項３７又は３８記載の装置。
【請求項４０】
前記リストバンドが手首着用型電子装置のリストバンドであり、さらに前記キーパッドが前記リストバンド内に取り込まれ、かつ前記手首着用型電子装置から離れて配置されていることを特徴とする請求項３９記載の電子装置。
【請求項４１】
前記キーパッドが前記装置内に固定して組み込まれていることを特徴とする請求項３７又は３８記載の装置。
【請求項４２】
前記キーパッドが前記装置に取り外し可能なように取り付けられていることを特徴とする請求項３７又は３８記載の装置。
【請求項４３】
前記キーパッドの前記所定数のキーの少なくとも１２個のキーが、前記拡張された表面に、電話型キーパッドのキー構成を再現したキーの配列を実現できるように配置されていることを特徴とする請求項３７又は３８記載の装置。
【請求項４４】
電子装置において、
キーを操作することによってある言語で文字及び／または数字を入力するための所定数の前記キーを有する伸長可能なキーパッドを具備してなり、
前記キーパッドが一体化され、さらに前記キーの少なくとも二つが互いに近接する収縮位置と、前記キーの少なくとも二つが互いに離れる伸展位置との間で移動するように構成され、
前記言語の実質的にすべてのアルファベット及び／または数字が、前記伸展したキーパッドに割り当てられるような方法で、前記言語の各種アルファベット数字群が収縮位置で近接し、伸展位置で離れる前記キーの少なくともいくつかに対して割り当てられ、
前記言語で前記文字及び／または前記数字を入力するために、ユーザが通常、収縮位置で近接し、伸展位置で離れる前記キーの少なくともいくつかを操作し、さらに、
前記装置が、ディスプレイユニットの少なくとも一部及び／または前記所定数のキーの少なくとも一部が前記装置の外面に配置されるように設計された、さらに前記キーパッドに対応する前記ディスプレイユニットを有することを特徴とする電子装置。
【請求項４５】
前記キーパッドが多区画に分画されたキーパッドであり、さらに前記所定数のキーがその区画の少なくとも二つの上に配置され、
前記区画の少なくとも一つがキーを有し、前記区画は、キーを有する少なくとも他のもう一方の前記区画と相対的に、収縮位置から伸展位置に移動し、協調して拡張されたキーパッドを実現できるように構成され、
ある言語の実質的にすべてのアルファベット及び／または数字が前記拡張されたキーパッドに割り当てられるような方法で、前記言語の各種アルファベット数字群が前記区画各々のキーの少なくともいくつかに対して割り当てられ、それにより、前記言語で前記文字及び／または数字を入力するために、ユーザが通常、前記拡張されたキーパッドの少なくとも二つの区画のキーを使用することを特徴とする請求項４４記載の装置。
【請求項４６】
前記キーの少なくとも一部が前記電子装置の本体から外側に伸長することを特徴とする請求項４４又は４５記載の装置。
【請求項４７】
前記キーパッドの前記区画の少なくとも一つが、もう一つの区画と相対的に回転軸の周りを同一平面上で旋回して伸長することを特徴とする請求項４５記載の装置。
【請求項４８】
電子装置内に組み込まれた伸長可能なキーパッドにおいて、
前記キーパッドは、キーを操作することによりある言語で文字及び／または数字を入力するための所定数の前記キーを具備してなり、
前記キーパッドは、前記キーの少なくとも二つが互いに近接する収縮位置と、前記キーの少なくとも二つが互いに離れる伸展位置との間で移動するように構成され、
前記言語の実質的にすべてのアルファベット及び／または数字が前記伸展したキーパッドに割り当てられるような方法で、前記言語の各種アルファベット数字群が収縮位置で近接し、伸展位置で離れる前記キーの少なくともいくつかに対して割り当てられ、
前記言語で前記文字及び／または前記数字を入力するために、ユーザが通常、収縮位置で近接し、伸展位置で離れる前記キーの少なくともいくつかを操作し、さらに、
前記伸展位置で、前記キーパッドが、実質的に前記装置の表面の寸法が長い方向に伸長することを特徴とする伸長可能なキーパッド。
【請求項４９】
前記キーパッドが多区画に分画されたキーパッドであり、さらに前記所定数のキーがその区画の少なくとも二つの上に配置され、
前記区画の少なくとも一つがキーを有し、前記区画が、キーを有する少なくとも他のもう一方の前記区画と相対的に収縮位置から伸展位置に移動し、拡張されたキーパッドを共に実現できるように構成され、
ある言語の実質的にすべてのアルファベットまたは数字の文字が前記拡張されたキーパッドに割り当てられるような方法で、前記言語の各種アルファベット数字群が前記区画各々のキーの少なくともいくつかに対して割り当てられ、それにより、前記言語で前記文字及び／または前記数字を入力するために、ユーザが通常、前記拡張されたキーパッドの少なくとも二つの区画のキーを使用することを特徴とする請求項４８記載の装置。
【請求項５０】
伸展位置にあるとき、前記キーパッドが少なくとも２６個のキーを有することを特徴とする請求項４８又は４９記載の装置。
【請求項５１】
前記キーパッドの三つのキー列が少なくとも２６個のキーを有することを特徴とする請求項５０記載の装置。
【請求項５２】
伸展位置にあるとき、前記キーパッドが少なくとも３６個のキーを有することを特徴とする請求項４８又は４９記載の装置。
【請求項５３】
前記キーパッドの四つのキー列が少なくとも３６個のキーを有することを特徴とする請求項５２記載の装置。
【請求項５４】
前記キーの少なくとも一部が前記電子装置の本体から外側に伸長することを特徴とする請求項４８〜５３のいずれか一に記載の装置。
【請求項５５】
前記キーパッドのキー列が前記寸法が長い方向に形成されることを特徴とする請求項４８〜５４のいずれか一に記載の装置。
【請求項５６】
前記キーパッドの一つの区画のキーが、前記区画の表面を占有するように配置され、前記表面が前記実質的により長い寸法を有することを特徴とする請求項４９記載の装置。
【請求項５７】
前記キーパッドの伸長及び収縮が、前記装置のキーパッド部分と実質的に係合することを特徴とする請求項４８又は４９記載の装置。
【請求項５８】
前記装置は多区画に分画された装置であり、その区画の少なくとも一つが、その区画の少なくとも他のもう一方と相対的に収縮位置から伸展位置に移動するように構成され、さらに前記キーパッドが、互いに相対的に伸展する前記装置の前記区画の少なくとも二つの上に配置されていることを特徴とする請求項４８又は４９記載の装置。
【請求項５９】
前記装置が多区画に分画されたハンドセットであることを特徴とする請求項５８記載の装置。
【請求項６０】
前記キーの少なくとも一部が前記電子装置の本体から外側に伸長することを特徴とする請求項４８〜５９のいずれか一に記載の装置。
【請求項６１】
伸長可能なキーパッドを有する電子装置において、
キーを操作することによりある言語で文字及び／または数字を入力するための所定数の前記キーを具備してなり、
前記キーパッドが前記装置と一体化され、前記キーの実質的にすべてが前記装置の本体内に収納される収縮位置と、各部分が少なくとも一つのキーを有する前記キーパッドの少なくとも二つの部分が前記装置の本体から外側に伸展し、それにより前記部分の各々が前期装置の本体の異なる側面から伸長する伸展位置との間で移動するように構成され、
前記キーパッドの前記キーの少なくともいくつかに対して、ユーザが通常、前記言語で前記文字を入力するために、前記キーパッドの少なくとも二つの伸長した部分各々のキーの少なくともいくつかを操作するように、前記言語の実質的にすべてのアルファベット及び／または数字が割り当てられることを特徴とする電子装置。
【請求項６２】
前記伸長可能なキーパッドは、さらに前記所定数のキーの少なくとも一つを有する追加部分を包含し、前記追加部分は前記電子装置の本体内に収納され、前記言語で前記文字を入力するために、前記ユーザがさらに、前記キーパッドの前記追加部分のキーの少なくともいくつかを操作することを特徴とする請求項６１記載の装置。
【請求項６３】
通信装置などの電子装置において、
本体と、
前記本体に結合された、取り外し可能な多区画に分画されたハンドセットとを具備してなり、
前記ハンドセットは、閉じた位置と開いた位置との間で移動するように構成された少なくとも二つの区画を有し、開いた位置にあるときには、前記区画が伸展して伸長したハンドセットを実現することを特徴とする電子装置。
【請求項６４】
前記ハンドセットが前記通信装置に配線されていることを特徴とする請求項６３記載の装置。
【請求項６５】
前記ハンドセットがさらに前記通信装置と無線接続されていることを特徴とする請求項６３記載の装置。
【請求項６６】
前記ハンドセットがスピーカを有することを特徴とする請求項６３記載の装置。
【請求項６７】
前記ハンドセットがマイクロフォンを有することを特徴とする請求項６３記載の装置。
【請求項６８】
前記ハンドセットが、第１の区画内に配置されたマイクロフォン及び第２の区画内に配置されたスピーカを有し、前記ハンドセットを開くことにより前記マイクロフォンと前記スピーカとの間の距離が広がることを特徴とする請求項６３記載の装置。
【請求項６９】
前記通信装置の前記本体がマイクロフォンを有することを特徴とする請求項６３記載の装置。
【請求項７０】
前記通信装置の前記本体がさらにディスプレイユニットを有することを特徴とする請求項６３記載の装置。
【請求項７１】
前記通信装置の前記本体がさらにキーパッドユニットを有することを特徴とする請求項６３記載の装置。
【請求項７２】
前記通信装置の前記本体がさらにアンテナユニットを有することを特徴とする請求項６３記載の装置。
【請求項７３】
前記アンテナがバイアス機構を有し、ユーザが前記装置を使用していないときに、前記アンテナが前記通信装置の水平平面位置に保持され、
前記バイアス機構が、前記ユーザが前記通信装置を使用しているときに、前記アンテナを前記水平平面に対して所望の位置で開放することを特徴とする請求項７２記載の装置。
【請求項７４】
前記通信装置の前記本体に取り付けられている間、前記ハンドセットが前記ユニットの少なくとも一つの少なくとも一部を覆い隠すことを特徴とする請求項７０〜７２のいずれか一に記載の装置。
【請求項７５】
前記ハンドセットがキーパッドユニットを有することを特徴とする請求項６３記載の装置。
【請求項７６】
前記キーパッドユニットが、少なくともそのキーに割り当てられたある言語の数字及び／またはアルファベットを有することを特徴とする請求項７５記載の装置。
【請求項７７】
開いた位置にあるとき、前記多区画に分画されたハンドセットが伸展して、多数のキーを有する少なくとも二つの区画を有する多区画に分画された拡張された表面を実現し、さらにある言語のすべての数字及び／またはアルファベットが前記キーに割り当てられるような方法で、前記言語の各種数字及び／またはアルファベット群が前記少なくとも二つの区画各々のキーの少なくともいくつかに対して割り当てられ、それにより、前記言語で文字を入力するために、ユーザが前記拡張されたキーパッドの少なくとも二つの区画のキーを使用することを特徴とする請求項７５記載の装置。
【請求項７８】
前記多区画に分画されたハンドセットが少なくとも一つのディスプレイユニットを有することを特徴とする請求項６３記載の装置。
【請求項７９】
前記ハンドセットの前記区画が、前記区画を軸的に折りたたみを開くことによって伸長可能であることを特徴とする請求項６３記載の装置。
【請求項８０】
前記ハンドセットの前記区画が、前記区画を滑動させて開くことによって伸長可能であることを特徴とする請求項６３記載の装置。
【請求項８１】
前記ハンドセットが、さらに折りたたみ式に伸長可能なアンテナを有することを特徴とする請求項６３記載の装置。
【請求項８２】
前記本体が前記手首着用型通信装置であることを特徴とする請求項６３記載の装置。
【請求項８３】
前記本体がさらに時計ユニットを有することを特徴とする請求項８２記載の装置。
【請求項８４】
前記時計ユニット、及び前記手首着用型通信装置の前記本体への前記ハンドセットの取り付け位置が、ユーザの手首上で向かい合う位置関係にあることを特徴とする請求項８３記載の装置。
【請求項８５】
前記時計ユニット及び前記ディスプレイユニットがユーザの手首上で向かい合う位置関係にあることを特徴とする請求項８３又は７０記載の装置。
【請求項８６】
前記時計ユニット及び前記キーパッドユニットがユーザの手首上で向かい合う位置関係にあることを特徴とする請求項８２又は７１記載の装置。
【請求項８７】
通信装置などの電子装置の多区画に分画されたハンドセットにおいて、
マイクロフォン及びスピーカの少なくとも一つを有し、前記ハンドセットが、閉じた位置と開いた位置との間で移動するように構成された複数の区画を有し、前記開いた位置で前記区画が伸展して伸長されたハンドセットを実現し、
前記多区画に分画されたハンドセットの少なくとも二つの区画が、前記通信装置に信号を入力するための所定数のキーを有することを特徴とするハンドセット。
【請求項８８】
前記ハンドセットが前記通信装置に配線されていることを特徴とする請求項８７記載の装置。
【請求項８９】
前記ハンドセットがさらに前記通信装置と無線接続されていることを特徴とする請求項８７記載の装置。
【請求項９０】
前記マイクロフォン及び前記スピーカが各々、第１の区画及び前記ハンドセットの区画に配置され、前記ハンドセットを開くことにより前記マイクロフォンと前記スピーカとの間の距離が広がることを特徴とする請求項８７記載の装置。
【請求項９１】
ある言語のすべての数字及び／またはアルファベットが前記キーに割り当てられるような方法で、前記言語の各種数字及び／またはアルファベット群が前記少なくとも二つの区画各々のキーの少なくともいくつかに対して割り当てられ、それにより、前記言語で文字を入力するために、ユーザが前記拡張されたキーパッドの少なくとも二つの区画のキーを使用することを特徴とする請求項８７記載の装置。
【請求項９２】
前記少なくとも二つの区画各々が平坦な表面を有し、それにより、開いた位置で前記多区画に分画されたハンドセットが伸展して、前記キーを有する拡張され一体化したキーパッド表面を実現することを特徴とする請求項９１記載の装置。
【請求項９３】
前記所定数のキーの少なくとも１２個のキーが、ある言語のアルファベット数字の文字が適宜割り当てられた電話型キーパッドのキー構成を再現したキーの配列を画定するような方法で、前記拡張された表面の少なくとも二つの区画に配置されていることを特徴とする請求項８７又は９２記載の装置。
【請求項９４】
着用者の手首に取り付けるためのブレスレット状の通信装置において、
前記ブレスレットは、少なくとも第１及び第２の固定された区画を有し、前記ブレスレットは閉じた位置にあるときに実質的に固定するように構成され、
前記ブレスレットが二つの隣り合う区画を包含し、その区画各々において、第１の端部が前記ブレスレットの他方の区画に固定されかつ回転するように取り付けられ、前記もう一つの区画と相対的に回転し、それにより、前記隣り合う区画の第２の端部が互いに相対的に閉じた位置と開いた位置との間で移動して、前記ブレスレットを着用者の手首に取り付けるか、または着用者の手首から外すことを可能にし、
前記通信装置はさらに、前記ブレスレット内に組み込まれたマイクロフォンユニット及びスピーカユニットを有し、それにより、前記ブレスレットが開いた位置にあるときに、ユーザが前記通信ユニットを使用する際に、前記マイクロフォン及び前記スピーカが各々、ユーザの口及び耳に近接することを特徴とする通信装置。
【請求項９５】
前記ブレスレットが開いた位置にあるとき、前記マイクロフォンユニットと前記スピーカユニットとの間の距離が広がることを特徴とする請求項９４記載の装置。
【請求項９６】
時計ユニットが前記ブレスレット内に組み込まれていることを特徴とする請求項９４又は９５記載の装置。
【請求項９７】
前記通信装置の通信構成要素及び前記時計ユニットの構成要素が前記ブレスレットの異なる区画内に組み込まれていることを特徴とする請求項９６記載の装置。
【請求項９８】
前記時計ユニットがそれ自身のハウジングを有し、さらに前記区画の一つを形成していることを特徴とする請求項９６記載の装置。
【請求項９９】
前記時計ユニットを有する前記区画が、前記ブレスレット内の通信構成要素を有する前記少なくとも一つの区画から分離して配置されていることを特徴とする請求項９８記載の装置。
【請求項１００】
前記時計ユニットが前記区画の一つの中に組み込まれて、前記区画の少なくとも一部を形成することを特徴とする請求項９６記載の装置。
【請求項１０１】
前記時計ユニットが前記ブレスレット上に重なって配置されていることを特徴とする請求項９６記載の装置。
【請求項１０２】
前記通信ユニットのディスプレイユニット及び前記時計ユニットのディスプレイユニットが、前記ユーザの手首の周囲で互いに相対する位置関係にあることを特徴とする請求項９６〜１０１のいずれか一に記載の装置。
【請求項１０３】
前記時計ユニットが前記通信ユニットから独立して機能することを特徴とする請求項９６〜１０２のいずれか一に記載の装置。
【請求項１０４】
前記区画の少なくとも一つがＣ字状であることを特徴とする請求項９４記載の装置。
【請求項１０５】
閉じた位置または開いた位置にあるとき、前記部材が実質的にそれらの元の形状を維持することを特徴とする請求項９４〜１０４のいずれか一に記載の装置。
【請求項１０６】
携帯電話装置として構成されていることを特徴とする請求項９４〜１０５のいずれか一に記載の装置。
【請求項１０７】
ブレスレット状の手首着用型電子装置において、
前記装置は、
通信ユニットなどの電子ユニットの構成要素を収納するハウジングと、
電子ユニットの前記ハウジングの二つの端部各々から伸長するリストバンドとを具備してなり、
前記リストバンドが、その伸長した部分各々の端部に、前記ブレスレットを、前記電子ユニットから独立して機能するリストウォッチユニットのハウジングに取り付けるための取り付け手段を有することを特徴とする装置。
【請求項１０８】
前記リストバンドが、前記ブレスレットを従来のあらゆる時計ユニットに取り付けるための、従来の時計のリストバンド取り付け手段を有することを特徴とする請求項１０７記載の装置。
【請求項１０９】
前記電子ユニットがさらに、着用者の手首の周りで前記時計ユニットと相対する位置関係に配置された、キーパッドユニット及びディスプレイユニットの少なくとも一つを有することを特徴とする請求項１０７記載の装置。
【請求項１１０】
前記電子装置がインターネット接続機能を有することを特徴とする請求項１０７記載の装置。
【請求項１１１】
前記電子ユニットのバッテリー電源が、実質的に、前記着用者の手首の周りで前記電子ユニットと相対する位置関係に配置されていることを特徴とする請求項１０７記載の装置。
【請求項１１２】
前記電子ユニットのバッテリー電源が、実質的に、前記着用者の手首の周りに巻きつけられることを特徴とする請求項１０７記載の装置。
【請求項１１３】
前記電子ユニット及び前記時計ユニットの少なくとも一つが、前記バッテリー電源上に重なるように配置されることを特徴とする請求項１１２又は１１３記載の装置。
【請求項１１４】
前記通信装置は携帯電話であって、前記通信装置がさらに、前記ブレスレット内に組み込まれたマイクロフォンユニット及びスピーカユニットを有し、それにより、前記ブレスレットが開いた位置にあるときに、ユーザが通信ユニットを使用する際に、前記マイクロフォン及び前記スピーカが各々、ユーザの口及び耳に近接することを特徴とする請求項１０７記載の装置。
【請求項１１５】
前記ブレスレットが開いた位置にあるとき、前記マイクロフォンユニットとスピーカユニットとの間の距離が広がることを特徴とする請求項１１４記載の装置。
【手続補正２】
【補正対象書類名】明細書
【補正対象項目名】０１１６
【補正方法】変更
【補正の内容】
【０１１６】
図２９（ａ）〜図２９（ｃ）は、本発明に従い、薄膜キーパッドとして配列した、多区画キーパッド１５６のもう一つの実施例を図解している。この実施例では、キー要素１８２には、薄膜１８４上に形成されたタッチ式スイッチが採用されている。図２９（ａ）に図解されているように、キーパッド１５６は、軸１９０沿いに相互に折り畳まれることが望ましい少なくとも二つの区画、１０６ａと１０６ｂを有している。要約すると、複数の電極が相互に間隔をあけて取り付けられている。キー要素１８２のどれかを押すと、電極の一部が、押されたキー要素を示す信号をもたらす電気的接続を確立する。本発明の一つの実施例に従い、このような薄膜キーパッドは、曲線の配列で利用者の手首付近で十分な伸縮自在性を有する、プラスチックなどの完全に曲がる素材で製造する。本発明のもう一つの実施例に従い、キーパッド１５６は、キー要素１８２の他に、さらに、図２９（ｂ）に図解されているディスプレイユニット１８０を有している。本発明に従った手首着用型装置では、利用者が極めて便利にデータを参照し、操作することができる。ディスプレイユニット１８０は、電話機構の操作など、手首着用型装置の操作に対応する情報を表示する。図２９（ｃ）は、ストラップまたはブレスレット１５２上の折り畳まれた位置にある、キーパッド１５６を図解している。すでに述べたように、本発明の他の実施例に従い、ディスプレイユニット１８０は、ストラップまたはブレスレット１５２の様々な個所に取り付けることができる。以上、本発明の特定の特徴について図解し説明してきたが、当業者によれば、多くの修正、置き換え、変更又はそれに類することが可能であろう。したがって、添付の請求項は、本発明の真の精神に基づくこのような修正及び変更のすべてを含むことを意図していることが理解されよう。
【手続補正３】
【補正対象書類名】明細書
【補正対象項目名】図面の簡単な説明
【補正方法】変更
【補正の内容】
【図面の簡単な説明】
本発明を理解し、実際に実施される事柄を正確に目で確認できるよう、添付の図面を参照し、例を用いて複数の好ましい実施形態について以下に説明する。
【図１】
（ａ）及び（ｂ）は、本発明の一つの実施形態に従った、閉じた状態における手首着用型通信装置の図。
【図２】
（ａ）及び（ｂ）は、本発明の一つの実施形態に従った、送受話器が切り離された手首着用型通信装置の側面図。
（ｃ）〜（ｆ）は、本発明の各種実施形態に従った、送受話器が切り離された手首着用型通信装置で使用するための送受話器の図。
【図３】
（ａ）及び（ｂ）は、本発明の一つの実施形態に従った、手首着用型通信装置の正面図。
【図４】
（ａ）、（ｂ）、（ｃ）及び（ｄ）は、本発明の一つの実施形態に従った、折り畳み可能な多区画キーパッドを有する手首着用型通信装置の図。
【図５】
（ａ）、（ｂ）、（ｃ）及び（ｄ）は、本発明の一つの実施形態に従った、伸縮自在キーパッドを有する手首着用型通信装置の図。
【図６】
本発明の一つの実施形態に従った、一つのキーパッド区画を有する手首着用型通信装置の図。
【図７】
（ａ）、（ｂ）及び（ｃ）は、本発明の一つの実施形態に従った、伸縮自在アンテナの付いた送受話器を有する手首着用型通信装置の図。
【図８】
（ａ）、（ｂ）及び（ｃ）は、本発明のもう一つの実施形態に従った、伸縮自在アンテナの付いた送受話器を有する手首着用型通信装置の図。
【図９】
（ａ）、（ｂ）、（ｃ）、（ｄ）及び（ｅ）は、本発明のさらにもう一つの実施形態に従った、伸縮自在アンテナの付いた送受話器を有する手首着用型通信装置の図。
【図１０】
（ａ）〜（ｅ）は、本発明のさらにもう一つの実施形態に従った、手首バンドにスピーカとマイクロフォンを取り付けた小型の脱着可能送受話器を有する手首着用型通信装置の図。
【図１１】
（ａ）及び（ｂ）は、本発明のもう一つの実施形態に従った、手首バンドにスピーカとマイクロフォンを取り付けた大型の脱着可能送受話器を有する手首着用型通信装置の図。
【図１２】
（ａ）、（ｂ）、（ｃ）、（ｄ）及び（ｅ）は、本発明のもう一つの実施形態に従った、送受話器が携帯電話機構から分離している手首着用型通信装置の図。
【図１３】
本発明の一つの実施形態に従った、独立した時計ユニットとスピーカ及びマイクロフォンが追加されている手首着用型通信装置の図。
【図１４】
本発明の一つの実施形態に従った、永久表示ディスプレイユニット部分を有する手首着用型通信装置の図。
【図１５】
（ａ）〜（ｇ）は、本発明のもう一つの実施形態に従った、アンテナ系を採用した手首着用型通信装置の図。
【図１６】
（ａ）〜（ｂ）は、本発明のもう一つの実施形態に従った、アンテナ系を採用した手首着用型通信装置の図。
【図１７】
（ａ）〜（ｂ）は、本発明のさらにもう一つの実施形態に従った、アンテナ系を採用した手首着用型通信装置の図。
【図１８】
（ａ）〜（ｂ）は、本発明のもう一つの実施形態に従った、アンテナ系を採用した手首着用型通信装置の図。
【図１９】
本発明のさらにもう一つの実施形態に従った、アンテナ系を採用した手首着用型通信装置の図。
【図２０】
図１９に示されている実施形態に従った、閉じた状態における手首着用型通信装置の図。
【図２１】
本発明の一つの実施形態に従った、手首に取り付けられた携帯電話装置の絵画図。
【図２２】
アンロックされた位置をさらに具体的に図解した、図２１の装置の絵画図。
【図２３】
ａは、特にミニバイブレータを図解した、図２２の装置の一部分の側面図。
ｂは、反転オープンカバーが格納され、取り外した位置にバッテリーがある、図２１の装置の部分分解図。
【図２４】
ａ〜ｃは、本発明のさらに三つの実施形態の図。
【図２５】
ａは、腕時計が取り付けられた、手首着用型携帯電話装置のさらにもう一つの実施形態の図。
ｂは、携帯電話装置に腕時計を取り付けるための連結機構を具体的に図解した、図２５ａの装置の断面図。
【図２６】
（ａ）及び（ｂ）は、本発明の一つの実施形態に従った、ブレスレット部分上に２区画構成のキーパッドを有する携帯電話装置の図。
【図２７】
（ａ）及び（ｂ）は、本発明の一つの実施形態に従った、携帯電話装置が閉じた状態にあるときにボタンが相互に接触しないように工夫した、キーパッド上のボタンの配列図。
【図２８】
（ａ）〜（ｄ）は、本発明の別の実施形態に従った、多区画キーパッド１０６を有する装置１００のその他の構成を示す図。
【図２９】
（ａ）〜（ｃ）は、本発明の別の実施形態に従った、圧力感応変換器を用いた多区画キーパッド１０６を有する装置１００のその他の構成を示す図。